(57)【特許請求の範囲】
【請求項１】
コンテンツ提供サーバに通信可能な情報表示制御装置であって、
前記コンテンツ提供サーバから送信されてきた表示情報を受信する受信手段と、
受信した前記表示情報を受信時刻に関連付けて記憶する第１記憶手段と、
前記表示情報を表示させない非表示依頼を受け付ける受付手段と、
前記非表示依頼を受け付けた時刻を非表示依頼時刻として記憶する第２記憶手段と、
前記第１記憶手段から前記表示情報を読み出して、前記表示情報を繰り返し表示する表示手段と、
前記表示手段により前記表示情報を読み出す際に、前記非表示依頼時刻が前記第２記憶手段に記憶されている場合に、当該第２記憶手段から読み出した前記非表示依頼時刻と前記第１記憶手段から読み出した前記受信時刻とを比較し、前記非表示依頼時刻よりも以前の前記受信時刻の前記表示情報を前記表示手段に読み飛ばさせる制御手段と、
を有することを特徴とする情報表示制御装置。
【請求項２】
前記受付手段は、タッチパネル内に形成されたボタンであることを特徴とする請求項１に記載の情報表示制御装置。
【請求項３】
コンテンツ提供サーバに通信可能な情報表示制御装置で処理する情報表示制御方法であって、
前記コンテンツ提供サーバから送信されてきた表示情報を受信手段により受信するステップと、
受信した前記表示情報を受信時刻に関連付けて第１記憶手段により記憶するステップと、
前記表示情報を表示させない非表示依頼を受付手段により受け付けるステップと、
前記非表示依頼を受け付けた時刻を非表示依頼時刻として第２記憶手段により記憶するステップと、
前記第１記憶手段から前記表示情報を読み出して、前記表示情報を表示手段により繰り返し表示するステップと、
前記表示手段により前記表示情報を読み出す際に、前記非表示依頼時刻が前記第２記憶手段に記憶されている場合に、当該第２記憶手段から読み出した前記非表示依頼時刻と前記第１記憶手段から読み出した前記受信時刻とを比較し、前記非表示依頼時刻よりも以前の前記受信時刻の前記表示情報を制御手段により前記表示手段に読み飛ばさせるステップと、
を有することを特徴とする情報表示制御方法。
【請求項４】
コンテンツ提供サーバに通信可能な情報表示制御装置で実行させる情報表示制御プログラムであって、
前記コンテンツ提供サーバから送信されてきた表示情報を受信手段により受信する処理と、
受信した前記表示情報を受信時刻に関連付けて第１記憶手段により記憶する処理と、
前記表示情報を表示させない非表示依頼を受付手段により受け付ける処理と、
前記非表示依頼を受け付けた時刻を非表示依頼時刻として第２記憶手段により記憶する処理と、
前記第１記憶手段から前記表示情報を読み出して、前記表示情報を表示手段により繰り返し表示する処理と、
前記表示手段により前記表示情報を読み出す際に、前記非表示依頼時刻が前記第２記憶手段に記憶されている場合に、当該第２記憶手段から読み出した前記非表示依頼時刻と前記第１記憶手段から読み出した前記受信時刻とを比較し、前記非表示依頼時刻よりも以前の前記受信時刻の前記表示情報を制御手段により前記表示手段に読み飛ばさせる処理と、
を実行させることを特徴とする情報表示制御プログラム。
【発明の詳細な説明】
【技術分野】
【０００１】
本発明は、プッシュ型で表示される情報を制御する技術に関する。
【背景技術】
【０００２】
従来、プッシュ型の情報表示装置では、配信されてきた情報リストに含まれる情報を順番に取り出して画面に表示し、最後まで表示した後に情報リストの最初に戻って同様の動作を繰り返す循環表示が利用されていた（非特許文献１参照）。この循環表示は、ユーザの気が向いたときにその情報を見てもらうことを想定する表示方法であり、いつ見始めても情報リストに含まれる全ての情報を見ることができるという長所を有している。
【０００３】
この循環表示の適用例として、街頭や新幹線内の電光掲示板による文字ニュースや、テレビ番組映像に重ねて表示されるティッカーなどが知られている。
【非特許文献１】前田  篤彦、他２名、「ラウンジ用付帯的情報配信メディアにおける動的表示方式に関する評価実験」、ヒューマンインタフェース学会論文誌、2004年、vol.6、No.1、p.87−95
【発明の開示】
【発明が解決しようとする課題】
【０００４】
循環表示を利用した情報提供は、個人が宅内において寛いでいる最中や家事の合間に情報を得られるので非常に便利である。しかしながら、同じ情報が繰り返し目に入る場合には、ユーザはストレスを感じるという問題がある。また、定期的に受信する情報リストの中には、以前に受信した情報と同じものが含まれている場合があり、循環表示を行わない場合であっても、同様のストレスを引き起こす可能性があるという問題がある。
【０００５】
本発明は、上記を鑑みてなされたものであり、ユーザにストレスを与えることなく情報を提供することを課題とする。
【課題を解決するための手段】
【０００６】
第１の本発明に係る情報表示制御装置は、コンテンツ提供サーバに通信可能な情報表示制御装置であって、前記コンテンツ提供サーバから送信されてきた表示情報を受信する受信手段と、受信した前記表示情報を受信時刻に関連付けて記憶する第１記憶手段と、前記表示情報を表示させない非表示依頼を受け付ける受付手段と、前記非表示依頼を受け付けた時刻を非表示依頼時刻として記憶する第２記憶手段と、前記第１記憶手段から前記表示情報を読み出して、前記表示情報を繰り返し表示する表示手段と、前記表示手段により前記表示情報を読み出す際に、前記非表示依頼時刻が前記第２記憶手段に記憶されている場合に、当該第２記憶手段から読み出した前記非表示依頼時刻と前記第１記憶手段から読み出した前記受信時刻とを比較し、前記非表示依頼時刻よりも以前の前記受信時刻の前記表示情報を前記表示手段に読み飛ばさせる制御手段と、を有することを特徴とする。
【０００７】
本発明にあっては、コンテンツ提供サーバから受信した表示情報を受信時刻に関連付けて第１記憶手段に記憶しておき、第１記憶手段から表示情報を読み出す際に、非表示依頼時刻よりも以前の受信時刻の表示情報を読み飛ばして表示手段により繰り返し表示するので、ユーザが非表示依頼時刻を設定することにより、不要な表示情報を常に非表示とすることができ、同じ情報を繰り返し見るというストレスをユーザに与えることなく循環表示のメリットを享受することができる。
【０００８】
上記情報表示制御装置において、前記受付手段は、タッチパネル内に形成されたボタンであることを特徴とする。
【０００９】
第２の本発明に係る情報表示制御方法は、コンテンツ提供サーバに通信可能な情報表示制御装置で処理する情報表示制御方法であって、前記コンテンツ提供サーバから送信されてきた表示情報を受信手段により受信するステップと、受信した前記表示情報を受信時刻に関連付けて第１記憶手段により記憶するステップと、前記表示情報を表示させない非表示依頼を受付手段により受け付けるステップと、前記非表示依頼を受け付けた時刻を非表示依頼時刻として第２記憶手段により記憶するステップと、前記第１記憶手段から前記表示情報を読み出して、前記表示情報を表示手段により繰り返し表示するステップと、前記表示手段により前記表示情報を読み出す際に、前記非表示依頼時刻が前記第２記憶手段に記憶されている場合に、当該第２記憶手段から読み出した前記非表示依頼時刻と前記第１記憶手段から読み出した前記受信時刻とを比較し、前記非表示依頼時刻よりも以前の前記受信時刻の前記表示情報を制御手段により前記表示手段に読み飛ばさせるステップと、を有することを特徴とする。
【００１０】
第３の本発明に係る情報表示制御プログラムは、コンテンツ提供サーバに通信可能な情報表示制御装置で実行させる情報表示制御プログラムであって、前記コンテンツ提供サーバから送信されてきた表示情報を受信手段により受信する処理と、受信した前記表示情報を受信時刻に関連付けて第１記憶手段により記憶する処理と、前記表示情報を表示させない非表示依頼を受付手段により受け付ける処理と、前記非表示依頼を受け付けた時刻を非表示依頼時刻として第２記憶手段により記憶する処理と、前記第１記憶手段から前記表示情報を読み出して、前記表示情報を表示手段により繰り返し表示する処理と、前記表示手段により前記表示情報を読み出す際に、前記非表示依頼時刻が前記第２記憶手段に記憶されている場合に、当該第２記憶手段から読み出した前記非表示依頼時刻と前記第１記憶手段から読み出した前記受信時刻とを比較し、前記非表示依頼時刻よりも以前の前記受信時刻の前記表示情報を制御手段により前記表示手段に読み飛ばさせる処理と、を実行させることを特徴とする。
【発明の効果】
【００１１】
本発明によれば、ユーザにストレスを与えることなく情報を提供することができる。
【発明を実施するための最良の形態】
【００１２】
以下、本発明の実施の形態について図面を用いて説明する。
【００１３】
図１は、本発明の実施の形態に係る情報表示制御装置１１を含む全体的なシステム構成を示す構成図である。図１に示すように、情報表示制御装置１１は、通信ネットワーク２を介して表示情報リストを提供するコンテンツ提供サーバ３に接続されている。
【００１４】
通信ネットワーク２として、例えば、ＬＡＮ（Ｌｏｃａｌ  Ａｒｅａ  Ｎｅｔｗｏｒｋ）、インターネット、公衆回線網、ＣＡＴＶ網などを利用することができる。通信ネットワーク２は、これら有線に限られるものではなく、無線であってもよく、情報表示制御装置１１がコンテンツ提供サーバ３に接続して表示情報リストを受信可能とするものであればよい。なお、インターネットとは、所定のプロトコルに基づいて相互リンクされたネットワークの集合体である。
【００１５】
また、表示情報リストは表構造を有しており、コンテンツ提供サーバ３が提供する表示情報をレコードとする“情報”の列を備えた構成である。なお、表示情報リストの表構造は、これに限られるものではなく、例えば、表示情報を一意に識別するための識別子をレコードとする“識別情報”の列を更に追加することも可能である。
【００１６】
図２は、情報表示制御装置１１の構成を示すブロック図である。図２に示すように、情報表示制御装置１１は、ユーザからの非表示依頼を受け付ける入力装置１１１、表示情報を表示する表示装置１１２、通信ネットワーク２上におけるコンテンツ提供サーバ３との通信に必要なインタフェース処理を行う通信制御装置１１３、表示情報の表示や非表示依頼などに基づく処理を実行する中央処理制御装置１１４、およびコンテンツ提供サーバ３から受信した表示情報リストの表示情報や非表示依頼を受信した非表示依頼時刻を記憶する記憶装置１１５を備えた構成である。これら全ての装置は、情報表示制御装置１１の内部で、バス線などにより相互に接続されている。
【００１７】
入力装置１１１は、表示装置１１２に出力される表示情報を表示させないように制御するための非表示依頼を受け付けるために用いられる。具体的には、タッチパネル、押下ボタン、キーボード、マウスなどにより実現される。タッチパネルの場合には、タッチパネルの画面上に表示されたボタンを直接タッチして入力することができるので、表示装置１１２と一体化した構成とすることも可能である。
【００１８】
中央処理制御装置１１４は、受信情報処理部１１４ａ、表示定期更新部１１４ｂ、および非表示依頼処理部１１４ｃを有する構成であり、コンピュータ本体のＣＰＵにより実現される。なお、各部の処理はプログラムで実行される。具体的な動作については後述する。
【００１９】
記憶装置１１５は、情報テーブルが記憶される受信情報記憶部１１５ａ、および非表示依頼を受信した非表示依頼時刻が記憶される非表示依頼時刻記憶部１１５ｂを有する構成であり、メモリもしくはハードディスクにより実現される。
【００２０】
ここで、情報テーブルについて説明する。図３は、受信情報記憶部１１５ａに記憶されている情報テーブルの表構造を示す図である。情報テーブルは、コンテンツ提供サーバ３から送信されてきた表示情報リストの表示情報を記憶するテーブルである。具体的には、２次元の表構造を有しており、表示情報リストの表示情報をレコードとする“情報”の列とその表示情報を受信した時刻をレコードとする“受信時刻”の列とを備えた構成である。なお、表示情報リストの表構造は、これに限られるものではなく、表示情報リストと同様に、表示情報を一意に識別するための識別子をレコードとする“識別情報”の列を更に追加することも可能である。
【００２１】
次に、本実施の形態における情報表示制御装置１１の動作について、図１乃至図３、および図４を用いて説明する。図４は、情報表示制御装置１１の動作を示すフローチャート図である。
【００２２】
受信情報処理部１１４ａは、情報表示制御装置１１の電源がＯＮされた後、表示情報リストを取得するための表示情報要求信号を生成し、その生成された表示情報要求信号を、通信制御装置１１３から通信ネットワーク２を介してコンテンツ提供サーバ３に送信し、表示情報リストを受信するまで待機する。
【００２３】
受信情報処理部１１４ａは、通信ネットワーク２を介して通信制御装置１１３で表示情報リストを受信する（Ｓ１００）。
【００２４】
次に、受信情報処理部１１４ａは、情報テーブルを受信情報記憶部１１５ａから読み出して、この情報テーブルの“情報”の列に格納された表示情報とＳ１００で受信した表示情報リストの“情報”の列に格納された表示情報とを比較し、情報テーブルの“情報”の列に格納されていない表示情報がある場合には、その表示情報と現在時刻とを情報テーブルの“情報”および“受信時刻”の列に各々追加（更新）して受信情報記憶部１１５ａに記憶する（Ｓ１０１）。
【００２５】
例えば、図３に示すように、最初に“○○○○投手とタレントの△△△△さん結婚”の表示情報を受信し、その表示情報の受信時刻が“2005年10月9日01時00分（日本時間）”である場合には、情報テーブルのレコードＲ１の“情報”の列に“○○○○投手とタレント△△△△さん結婚”を格納し、情報テーブルのレコードＲ１の“受信時刻”の列に“2005-10-09T01:00+09:00”を格納する。
【００２６】
なお、“2005-10-09T01:00+09:00”とは、“年-月-日T時:分+時差”を表現したものであり（以降、同様の意味とする）、特に、時差については、世界標準時間に対する日本時間の時差を示したものである。
【００２７】
次に、“教室に鍵かけ凶行  容疑者自ら１１０番  京都女児殺害”の表示情報を受信し、その表示情報の受信時刻が“2005-10-10T02:01+09:00”である場合には、この時点では情報テーブルの“情報”の列には“教室に鍵かけ凶行  容疑者自ら１１０番  京都女児殺害”の表示情報が格納されていないので、レコードＲ１の次のレコードＲ２の“情報”の列に“教室に鍵かけ凶行  容疑者自ら１１０番  京都女児殺害”を格納し、情報テーブルのレコードＲ２の“受信時刻”の列に“2005-10-10T02:01+09:00”を格納する。
【００２８】
以降、情報テーブルに格納されていない表示情報を受信した場合には、レコードＲ２の次のレコードＲ３から順番にレコードＲＮまで格納される。
【００２９】
なお、情報テーブルを更新する際に、受信情報記憶部１１５ａとしてメモリ上もしくはハードディスク上に予め確保された記憶領域を超える場合には、受信時刻の古い表示情報から順番に削除して情報テーブルにレコードを追加する。
【００３０】
また、Ｓ１０１における表示情報の比較については、表示情報として構成される文字や記号などのデータを比較することで実現することができる。また、表示情報を一意に識別する識別子をレコードとする“識別情報”が、情報テーブルと表示情報リストとに追加されている場合には、その識別子を用いて比較することも可能である。識別子としては、例えば、算用数字を利用することができるので、表示情報に格納されている文字や記号などのデータを全て比較する方法よりも、短時間で比較をすることができる。
【００３１】
続いて、表示定期更新部１１４ｂは、情報テーブルの“情報”の列に格納された表示情報とその表示情報に関連付けられた“受信時刻”の列に格納された受信時刻とをレコードごとに受信情報記憶部１１５ａから読み出して表示情報を表示装置１１２に表示すると共に、非表示依頼時刻が非表示依頼時刻記憶部１１５ｂに記憶されている場合にはその非表示依頼時刻を読み出して、受信時刻と非表示依頼時刻とを比較し、非表示依頼時刻よりも以前の受信時刻に関連付けられた表示情報を読み飛ばす（Ｓ１０２）。読み飛ばされることにより、その表示情報は、表示装置１１２に表示されないことになる。
【００３２】
例えば、図３に示すように、Ｓ１０１においてレコードＲ１〜ＲＮまで格納された情報テーブルを記憶しており、非表示依頼時刻として“2005年10月10日16時00分（日本時間）”を示す“2005-10-10T16:00+09:00”が記憶されている場合には、この非表示依頼時刻以前に記憶されたレコードＲ１〜Ｒ４は読み飛ばされて、レコードＲ５の表示情報が表示される。
【００３３】
また、Ｓ１０２において表示情報を表示装置１１２に表示する前に、表示定期更新部１１４ｂにより、表示する表示情報をコンテンツ提供サーバ３に送信し、この表示情報に関連する具体的な内容をコンテンツ提供サーバ３から受信して、表示情報と合わせて表示させることも可能である。例えば、表示情報があるコンテンツの見出し情報に相当する場合に、その具体的な内容とは、その見出し情報に関連する記事および画像などから構成される。
【００３４】
ここで、表示情報および受信時刻を受信情報記憶部１１５ａから読み出す方法については、例えば、情報テーブルがハードディスクに記憶されている場合には、その情報テーブルに格納されている全てのデータをハードディスクから一度に読み出してメモリに一旦記憶させ、メモリに記憶されたデータからレコードごとに表示情報および受信時刻を読み出すことも可能である。これにより、表示定期更新部１１４ｂが、メモリよりもアクセス速度の低いハードディスクにアクセスする回数を低減することができる。
【００３５】
表示情報が表示装置１１２に表示された後、非表示依頼処理部１１４ｃは、ユーザにより入力装置１１１から非表示依頼が入力されるのを一定時間（例えば２０秒）の間待つ（Ｓ１０３）。
【００３６】
ユーザにより非表示依頼が入力された場合、その非表示依頼は、非表示依頼処理部１１４ｃにより、非表示依頼信号として入力装置１１１から非表示依頼処理部１１４ｃに送信され、現在時刻を非表示依頼時刻として非表示依頼時刻記憶部１１５ｂに記憶される（Ｓ１０４）。
【００３７】
なお、非表示依頼時刻が非表示依頼時刻記憶部１１５ｂに既に記憶されている場合には上書きして記憶され、Ｓ１０２において表示定期更新部１１４ｂにより再び読み出された場合には、この新たに記憶された非表示情報依頼時刻が読み出される。
【００３８】
例えば、ユーザにより非表示依頼された非表示依頼時刻が“2005年10月10日21時00分（日本時間）”の場合には、非表示依頼時刻として既に記憶されている“2005-10-10T16:00+09:00”に上書きして“2005-10-10T21:00+09:00”を非表示依頼時刻として記憶する。
【００３９】
ここで、非表示依頼処理部１１４ｃは、ユーザにより予め設定された時間を用いて、Ｓ１０４で述べた現在時刻よりもその設定時間前の時刻を非表示依頼時刻として非表示依頼時刻記憶部１１５ｂに記憶することも可能である。
【００４０】
その後、受信情報処理部１１４ａは、受信情報記憶部１１５ａから情報テーブルの“受信時刻”の列に格納された受信時刻のうち任意の受信時刻を読み出し、読み出した受信時刻と現在時刻とを比較して一定時間（例えば３０分）経過しているかの判別を行い、経過している場合には、表示情報要求信号を通信制御装置１１３から通信ネットワーク２を介してコンテンツ提供サーバ３に再び送信してＳ１００に戻る動作を行う（Ｓ１０５）。
【００４１】
受信情報処理部１１４ａは、Ｓ１０５において一定時間が経過していない場合にはＳ１０２に戻る動作を行う。なお、Ｓ１０２からＳ１０５までの一連の流れを繰り返すことで、表示定期更新部１１４ｂにより、情報テーブルの“情報”の列に格納されている全ての表示情報が表示装置１１２に表示された場合であっても、情報表示制御装置１１の電源がＯＦＦされるまで、最初に表示した表示情報に戻って、再び表示情報の表示を繰り返す（Ｓ１０６）。
【００４２】
例えば、図３に示すように、Ｓ１０１においてレコードＲ１〜ＲＮまで格納された情報テーブルを記憶しており、Ｓ１０４にて上書きされた非表示依頼時刻として“2005-10-10T21:00+09:00”が記憶されている場合には、Ｓ１０２に戻った後に、この非表示依頼時刻以前に記憶されたレコードＲ１〜Ｒ６は読み飛ばされて、レコードＲ７の表示情報が表示される。
【００４３】
一方、Ｓ１０４において非表示依頼が入力されず非表示依頼時刻に変更がない場合には、Ｓ１０２に戻った後に、既に表示されたレコードＲ５の次に格納されているレコードＲ６の表示情報が表示される。
【００４４】
本実施形態によれば、受信情報記憶部１１５ａに記憶されていない表示情報をコンテンツ提供サーバ３から受信した場合に、受信情報処理部１１４ａにより、この表示情報を受信時刻に関連付けて受信情報記憶部１１５ａに記憶しておき、表示定期更新部１１４ｂにより、受信情報記憶部１１５ａから表示情報を読み出す際に、非表示依頼時刻記憶部１１５ｂに記憶されている非表示依頼時刻よりも以前の受信時刻の表示情報を読み飛ばして表示装置１１２に繰り返し表示する。
【００４５】
また、コンテンツ提供サーバ３から同じ表示情報を再び受信した場合であっても、その表示情報および受信時刻を再び受信情報記憶部１１５ａに記憶することはない。
【００４６】
従い、ユーザが非表示依頼時刻を設定することにより、不要な表示情報を常に非表示とすることができ、同じ情報を繰り返し見るというストレスをユーザに与えることなく循環表示のメリットを享受することができる。
【図面の簡単な説明】
【００４７】
【図１】本発明の実施の形態に係る情報表示制御装置を含む全体的なシステム構成を示す構成図である。
【図２】情報表示制御装置の構成を示すブロック図である。
【図３】受信情報記憶部に記憶されている情報テーブルの表構造を示す図である。
【図４】情報表示制御装置の動作を示すフローチャート図である。
【符号の説明】
【００４８】
２…通信ネットワーク
３…コンテンツ提供サーバ
１１…情報表示制御装置
１１１…入力装置
１１２…表示装置
１１３…通信制御装置
１１４…中央処理制御装置
１１４ａ…受信情報処理部
１１４ｂ…表示定期更新部
１１４ｃ…非表示依頼処理部
１１５…記憶装置
１１５ａ…受信情報記憶部
１１５ｂ…非表示依頼時刻記憶部
Ｒ１〜ＲＮ…レコード
【図１】
0004505430.tif 000002
【図２】
0004505430.tif 000003
【図３】
0004505430.tif 000004
【図４】
0004505430.tif 000005